(57)【要約】【課題】コストの増加を可及的に抑制しながら、写真処理装置になんらかのトラブルが発生して処理を中断したときの復旧作業負担を軽減する。【解決手段】入力された画像データに基づいて写真処理サービスを提供するための写真処理装置ＥＰと、入力された画像データをリオーダーの写真処理サービス提供用の画像データとして記憶保存可能な画像データ保存装置ＩＳとが備えられた写真処理システムにおいて、前記写真処理装置ＥＰにおける処理が中断した後、処理が再開されたときに、処理の中断時点における処理の進行状況の情報に基づいて前記中断によって適正に処理されなかった画像を特定すると共に、その特定した画像の画像データを前記画像データ保存装置ＩＳから読出して処理させる。【選択図】図１
2006018194.tif 000002
【特許請求の範囲】
【請求項１】
入力された画像データに基づいて写真処理サービスを提供するための写真処理装置と、入力された画像データをリオーダーの写真処理サービス提供用の画像データとして記憶保存可能な画像データ保存装置とが備えられた写真処理システムであって、
少なくとも前記写真処理装置において処理途中の画像についての写真処理条件を記憶保持する処理条件保持装置と、前記写真処理装置における処理の進行状況を管理する処理状況管理装置とが設けられ、
前記処理状況管理装置は、前記写真処理装置における処理が中断した後、処理が再開されたときに、処理の中断時点における前記進行状況の情報に基づいて前記中断によって適正に処理が実行されなかった画像を特定すると共に、その特定した画像の画像データを前記画像データ保存装置から読出して、前記処理条件保持装置に記憶保持されている写真処理条件に従って前記写真処理装置に処理させるように構成されている写真処理システム。
【請求項２】
前記処理条件保持装置は、前記写真処理条件をオーダー単位で記憶保持するように構成されている請求項１記載の写真処理システム。
【請求項３】
前記写真処理装置に、写真感光材料に画像を露光形成する画像形成部と、画像が露光形成された写真感光材料を現像処理する現像処理部とが備えられ、
前記処理状況管理装置は、各オーダーの画像毎に、画像形成部での処理が完了したか否か、及び、前記現像処理部での処理が完了したか否かを管理するように構成されている請求項１又は２記載の写真処理システム。
【発明の詳細な説明】
【技術分野】
【０００１】
入力された画像データに基づいて写真処理サービスを提供するための写真処理装置と、入力された画像データをリオーダーの写真処理サービス提供用の画像データとして記憶保存可能な画像データ保存装置とが備えられた写真処理システムに関する。
【背景技術】
【０００２】
かかる写真処理システムは、例えば写真フィルム読取り装置による写真フィルムの読取り画像やデジタルカメラによる撮影画像等の画像データが入力されて、入力された画像データに基づいて写真プリントを作製する写真処理サービスや、入力された画像データをＣＤ−Ｒメディア等の各種の記録媒体へ書込む写真処理サービス等を提供するためのシステムである。
かかる写真処理システムの１例である写真プリントシステムでは、例えば下記特許文献１にも記載のように、写真処理サービスのリオーダー（再注文）である写真プリントの焼き増し注文（リプリント注文）をする際に、元の写真フィルムやメモリカード等を写真プリントショップへ持参する必要がないようにして、利用の便宜を図るため、写真プリントを作製した画像データを保存しておくことも行われている。
このような保存データは、記録媒体への画像データの書込み等の他の写真処理サービスのリオーダーを受けた場合にも利用し得るものである。
従って、従来、この画像データ保存装置に記憶保存した画像データの利用態様としては、初回の写真処理サービスの提供時例えば数日から数週間程度を経て、顧客がリオーダーを行った時に初めてアクセスされるというような利用態様が一般的である。
【０００３】
一方、写真処理サービスのリオーダーとは全く無関係ではあるが、写真処理システムの管理上において、写真処理システムのオペレータの作業負担を増大させる要因の一つに、写真処理装置にトラブル（例えば写真プリントシステムでは、紙詰まり等のトラブル）が発生した場合における復旧作業がある。
仮に、トラブルの原因が紙詰まりであるとして、写真プリントシステムの場合について説明すると、その際の復旧作業は、写真処理装置（写真プリント装置）による写真プリント作製処理を停止させた上で詰まっている紙を取り除き、写真プリント作製処理を再開させることになる。
この写真プリント作製処理の再開時においては、写真プリントとして仕上がった画像を確認すると共に、プリント処理の途中にある画像についても、商品価値を有する写真プリントとして仕上げることが可能かを個々に判断して、プリント処理のやり直しをする必要のある画像について、画像の取込み（例えば、写真フィルムの読取り処理）から再度やり直す。
あるいは、個々の画像についてプリント処理のやり直しの要否を判断する手続が煩雑であると考えるときは、そのプリント処理のオーダーについて、一括して、画像の取込み（例えば、写真フィルムの読取り処理）から再度やり直す。
【０００４】
【特許文献１】特開２０００−３５４１２３号公報
【発明の開示】
【発明が解決しようとする課題】
【０００５】
従って、写真処理装置になんらかのトラブルが発生して処理を中断したときに、その復旧作業が大きな作業負担となっている。
本発明は、かかる実情に鑑みてなされたものであって、その目的は、コストの増加を可及的に抑制しながら、写真処理装置になんらかのトラブルが発生して処理を中断したときの復旧作業負担を軽減する点にある。
【課題を解決するための手段】
【０００６】
本出願の第１の発明は、入力された画像データに基づいて写真処理サービスを提供するための写真処理装置と、入力された画像データをリオーダーの写真処理サービス提供用の画像データとして記憶保存可能な画像データ保存装置とが備えられた写真処理システムにおいて、少なくとも前記写真処理装置において処理途中の画像についての写真処理条件を記憶保持する処理条件保持装置と、前記写真処理装置における処理の進行状況を管理する処理状況管理装置とが設けられ、前記処理状況管理装置は、前記写真処理装置における処理が中断した後、処理が再開されたときに、処理の中断時点における前記進行状況の情報に基づいて前記中断によって適正に処理が実行されなかった画像を特定すると共に、その特定した画像の画像データを前記画像データ保存装置から読出して、前記処理条件保持装置に記憶保持されている写真処理条件に従って前記写真処理装置に処理させるように構成されている。
【０００７】
すなわち、写真処理装置に何らかのトラブルが発生した場合の復旧作業を簡便に行えるようにする手法としては、写真処理システムにおいて各処理過程に処理速度調整用として備えているバッファメモリの画像データを、処理の再開時に利用することも考えられる。
しかしながら、写真処理装置において取り扱う画像は非常に高品質の画像であり、１画像の画像データのデータ量は非常に大きいサイズとなっている。
従って、写真処理装置に備えられるバッファメモリは、通常、各処理過程の処理が完了して後段の処理過程へ画像データを送ると、空いた記憶エリアに直ちに後続の画像データを取込み、後段の処理過程へ送り出した画像データを消去してしまうように扱っている。
このようにして、バッファメモリの容量が極端に大きくならないようにしながら、各処理を流れ作業的に処理して処理の高速化を図っているのである。
【０００８】
このようなバッファメモリを利用して、処理の再開時に利用できる画像データを保持させようとすると、例えば最終段のバッファメモリに、処理が完全に完了するまで、その画像の画像データを保持させておくことになり、そのバッファメモリの容量として非常に大きな記憶容量を必要とすることになる。
写真処理装置のトラブルの発生頻度は低いものであり、そのようなトラブル対策のために非常に大容量のメモリを確保するのはコスト的に合理的でない。
【０００９】
その一方で、発生頻度が高くないとはいえ、一旦トラブルが発生すると写真処理システムのオペレータにかかる作業負担は大きいものであり、特に大量の写真処理サービスを提供する大規模なプリントショップにおいては、オペレータの作業負担が極めて大となってしまう。
そこで、本来的には、初回の写真処理サービスの提供の後、後日に顧客からリオーダーを受けた際のために画像データを保存しておくのに利用される画像データ保存装置を、写真処理装置のトラブル発生時における復旧作業にも利用するようにしたのである。
【００１０】
このために、少なくとも前記写真処理装置において処理途中の画像についての写真処理条件を記憶保持する処理条件保持装置と、前記写真処理装置における処理の進行状況を管理する処理状況管理装置とを備えて、処理の再開の際に復旧のために必要となる情報を把握しておき、処理の再開にあたってはこれらの情報を利用して、処理をやり直すべき画像を的確に特定して、画像データ保存装置に記録保存されている画像データによって処理を行わせるのである。
【００１１】
又、本出願の第２の発明は、上記第１の発明の構成に加えて、前記処理条件保持装置は、前記写真処理条件をオーダー単位で記憶保持するように構成されている。
すなわち、写真処理装置では、顧客からの注文の単位であるオーダーによって画像をグループ分けして管理するのが一般的である。
そこで、写真処理装置のトラブル発生時における復旧作業において必要となる情報もオーダー単位で管理する。
【００１２】
又、本出願の第３の発明は、上記第１又は第２の発明の構成に加えて、前記写真処理装置に、写真感光材料に画像を露光形成する画像形成部と、画像が露光形成された写真感光材料を現像処理する現像処理部とが備えられ、前記処理状況管理装置は、各オーダーの画像毎に、画像形成部での処理が完了したか否か、及び、前記現像処理部での処理が完了したか否かを管理するように構成されている。
すなわち、画像形成部と現像処理部とを備えて例えば印画紙等の写真感光材料に画像を形成する写真処理装置は、プリントショップ等に設置される業務用の写真プリント装置として最も普及している装置形態である。
このような装置形態において、画像形成部と現像処理部との夫々において、処理の完了した画像を把握する。
このような管理を行うことによって、現像処理部で発生したトラブルであれば、現像処理中のものは写真プリントとしての商品価値を失うものの、画像形成部での処理が完了しておらず、現像処理部に送り込まれる前のものは適正な写真プリントとして仕上げることができ、画像形成部で発生したトラブルであれば、画像形成部において画像形成して現像処理部への搬送途中にあるものは写真プリントとしての商品価値を失う可能性が高いものの、既に現像処理部に送ったものについては適正な写真プリントとして仕上げることができる。
【発明の効果】
【００１３】
上記第１の発明によれば、処理をやり直すべき画像を的確且つ自動的に特定すると共に、写真処理サービスのリオーダー用として備えられる画像データ保存装置を写真処理装置のトラブル発生時における復旧作業にも活用して処理のやり直しを行わせるので、コストの増加を可及的に抑制しながら、写真処理装置になんらかのトラブルが発生して処理を中断したときの復旧作業負担を軽減できるに至った。
又、上記第２の発明によれば、写真処理装置のトラブル発生時における復旧作業において必要となる情報もオーダー単位で管理するので、１つのオーダーの処理の途中でトラブルが発生した場合でも、処理の中断の前後において１つのオーダーの処理として連続したものとして取り扱うことができ、１つのオーダーが２つにオーダーに分断されて、取扱いが煩雑化してしまうのを回避できる。
又、上記第３の発明によれば、トラブルが画像形成部において発生したか、あるいは、現像処理部において発生したかに応じて、処理中の画像であっても、適正な写真プリントとして残せるものを極力写真プリントに仕上げて、損失を抑制することができる。
【発明を実施するための最良の形態】
【００１４】
以下、本発明の写真処理システムを、写真処理サービスとして写真プリントの作製サービスを行う写真プリントシステムとして構成した場合の実施の形態を図面に基づいて説明する。
本実施の形態で例示する写真プリントシステムＤＰは、いわゆるデジタルミニラボシステムとして知られているものであり、図１のブロック図に示すように、現像処理済みの写真フィルム，メモリーカード，光磁気ディスクあるいはＣＤ−Ｒメディア等から画像データを取込む画像入力装置ＩＲと、画像入力装置ＩＲにて取込んだ画像データを写真感光材料ＰＳである印画紙２にプリント処理して写真プリントを作製する写真プリント装置ＥＰと、写真プリントの作製のために入力された画像データをリプリント用（すなわち、写真処理サービスのリオーダー用）の画像データとして記憶保存する画像データ保存装置ＩＳとがネットワーク接続されて構成されている。
写真プリント装置ＥＰは、写真処理サービスを提供するための写真処理装置として機能する。
【００１５】
〔画像入力装置ＩＲの概略構成〕
画像入力装置ＩＲには、図１に概略的に示すように、写真フィルムの駒画像を読み取る写真フィルム読取り装置であるフィルムスキャナ３と、パーソナルコンピュータにて構成される制御装置４と、フィルムスキャナ３等から入力された写真プリント作製用の画像データを補正処理する画像処理装置５とが備えられている。
制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、操作卓４ｃ及びマウス４ｄとが接続されている。
外部入出力装置４ａは、備えられている各ドライブから画像データの取込みが可能であると共に、各ドライブに対応した記録媒体に画像データ等を記録可能である。
画像処理装置５は、色補正やシャープネスその他の各種の補正処理を行うように構成され、入力画像ソースに応じて標準の補正処理条件が予め設定されていると共に、操作卓４ｃ及びマウス４ｄからの入力操作で、その標準の補正処理条件を修正することができる。
オペレータがこの補正処理条件の設定操作を行うために、モニタ４ｂには、入力された画像データに上記の補正処理条件を適用して補正処理した画像が上記シミュレート画像として表示される。尚、モニタ４ｂは、それの表示画像が写真プリントの画像に極力一致するように色調整されている。
【００１６】
〔画像データ保存装置ＩＳの概略構成〕
画像データ保存装置ＩＳは、大容量のハードディスク装置を多数備えて、大量のオーダーの画像データを記憶保持可能に構成されている。
本実施の形態の画像データ保存装置ＩＳは、フィルムスキャナ３の読取り画像をそのまま記憶保存するように構成され、フィルムスキャナ３の読取り画像データは、データ中継装置３１を経て、画像処理装置５へ送られるのと同時並行で画像データ保存装置ＩＳへ送られて記憶保存される。
又、画像データ保存装置ＩＳの画像データを読出すときは、制御装置４からの指令によって画像データ保存装置ＩＳから出力された画像データが、データ中継装置３１を経て画像処理装置５へ送られる。
【００１７】
〔写真プリント装置ＥＰの全体構成〕
図１に示すように、写真プリント装置ＥＰは、大きく分けて、画像形成部ＥＵと現像処理部ＰＵとから構成され、画像形成部ＥＵでは印画紙２に画像を露光形成し、現像処理部ＰＵでは画像が露光形成された印画紙２を現像処理及び乾燥処理して写真プリントとして仕上げる。尚、以下においては、画像形成部ＥＵでの処理を総称して「画像形成処理」と表現し、現像処理部ＰＵでの処理を総称して「現像処理」と表現する。
【００１８】
画像形成部ＥＵには、筐体内部に、印画紙２上に画像を露光形成する露光ヘッド１４と、露光ヘッド１４の制御の他、画像形成部ＥＵ内の全体の動作を管理するプリント制御装置１５と、筐体内に配置された印画紙マガジン６から引き出された印画紙２を多数の搬送ローラ９等にて現像処理部ＰＵへ搬送する印画紙搬送系ＰＴとが設けられ、更に、印画紙搬送系ＰＴの搬送経路の途中箇所に、印画紙マガジン６から引き出された長尺の印画紙２を指定されたプリントサイズに切断するカッタ１１と、印画紙２を複数の搬送列に振分ける振分け装置１２とが備えられている。
【００１９】
露光ヘッド１４は、印画紙２の搬送経路の途中箇所を画像形成位置とするように取り付けられ、その画像形成位置において印画紙搬送方向（副走査方向）と直交する方向（主走査方向）でレーザビームを走査する。
露光ヘッド１４から出射されるレーザビームは、プリント制御装置１５の制御により、画像処理装置５から専用通信ラインで入力された画像データあるいは制御装置４からネットワーク経由で入力された画像データに基づいて強度変調されている。
印画紙搬送系ＰＴにて搬送駆動される印画紙２に対して上述のように強度変調されたレーザビームが走査されることで、印画紙２上に画像が露光形成される。
尚、図示を省略しているが、印画紙搬送系ＰＴにおける露光ヘッド１４の画像形成位置よりも下流側には、現像処理部ＰＵにおいて印画紙２の搬送駆動が停止した場合でも、少なくとも露光処理中の画像の搬送駆動を継続できるように、画像の露光処理が完了した印画紙２を滞留させられるように構成されている。
【００２０】
現像処理部ＰＵには、露光ヘッド１４にて露光処理された印画紙２を現像処理する現像処理装置２１と、現像処理装置２１にて現像処理された印画紙２を乾燥処理する乾燥処理装置２２と、これらを制御する現像制御装置２３とが備えられている。
乾燥処理装置２２にて乾燥処理されて写真プリントとして仕上げられた印画紙２は、筐体上部に配置されているコンベア１０上に排出され、コンベア１０によって図示を省略するソータへ搬送される。ソータには多段式のトレイが備えられ、写真プリントとして仕上がった印画紙２がオーダー単位で各トレイに収納される。
このため、プリント制御装置１５及び現像制御装置２３は、処理途中の各画像（実質的には印画紙２）を、オーダーを識別するための情報（以下、このオーダーの識別情報を「オーダー番号」と称する）と、そのオーダー内での何番目の駒かを示す駒番号とを管理している。
【００２１】
〔写真プリント作製処理の管理〕
プリント動作の管理をするための管理プログラムを実行している制御装置４は、写真プリントの作製対象とする画像の入力管理や、写真プリントシステムＤＰのオペレータに対するユーザインターフェースの提供を行う他、写真プリント装置ＥＰの画像形成部ＥＵや現像処理部ＰＵにおける画像形成処理や現像処理（すなわち、写真プリント作製処理）の進行状況の管理をも行っている。
【００２２】
制御装置４が、このような写真プリント作製処理の進行状況の管理を行うために、プリント制御装置１５は、画像形成部ＥＵにおいて１枚の印画紙２を現像処理部ＰＵへ送り出す毎に、その送り出した印画紙２に形成されている画像のオーダー番号とそのオーダー内での駒番号とを制御装置４へ送信し、現像制御装置２３は、乾燥処理装置２２から１枚の印画紙２を排出する毎に、その排出した印画紙２に形成されている画像のオーダー番号とそのオーダー内での駒番号とを制御装置４へ送信する。
画像形成部ＥＵには、印画紙２を現像処理部ＰＵへ送り出したことを検出するために、印画紙搬送系ＰＴの搬送経路の下流端付近に赤外光センサ４１が備えられ、現像処理部ＰＵには、乾燥処理した印画紙２を排出したことを検出するために、乾燥処理装置２２の排出口付近に光センサ４２が備えられている。
【００２３】
制御装置４では、データベースプログラムをバックグラウンドで実行させており、プリント制御装置１５から処理完了データの受取り要求信号が送られてくると、プリント制御装置１５から画像形成部ＥＵで処理の完了した画像（実質的には、その画像を形成した印画紙２）の駒番号及びオーダー番号を写真プリント作製処理の進行状況の情報としてそのデータベースに記憶していく。
又、現像制御装置２３から処理完了データの受取り要求信号が送られてくると、図２のフローチャートにおいて「現像処理完了受付」として示す処理を実行する。
すなわち、現像制御装置２３から現像処理部ＰＵで処理の完了した画像の駒番号及びオーダー番号を受取り（ステップ＃１）、その画像がトラブル発生に伴って焼き直しを指示されたものであるか否かを確認し（ステップ＃２）、更に、１オーダー内の途中の画像であるときは（ステップ＃４）、受け取った駒番号及びオーダー番号を前記データベースに写真プリント作製処理の進行状況の情報として記憶する（ステップ＃５）。
一方、現像制御装置２３が駒番号及びオーダー番号と共に、その画像が１オーダーの最後の画像であることを示す信号を送ってきたときは（ステップ＃４）、そのオーダーについて写真プリント作製処理が全て正常に完了したことを意味するので、前記データベースに記憶しているその完了したオーダーの画像形成処理の完了データ（処理の完了した駒番号及びオーダー番号のデータ）及び現像処理の完了データの双方を削除する（ステップ＃６，＃７）。
従って、前記データベースにデータが登録されているか否かで、画像形成部ＥＵあるいは現像処理部ＰＵにて処理が完了したか否かを把握できる。
【００２４】
〔写真プリントの作製動作〕
次に、写真プリントの作製動作について、フィルムスキャナ３の読取り画像データに基づいて写真プリントを作製する場合を例にとって説明する。
制御装置４が実行する管理プログラムでは、初期画面として、オーダーの処理に全般的に適用する諸条件を入力するための画面表示をモニタ４ｂに表示している。この入力画面には、プリントサイズ等の写真プリント作製条件（写真処理条件）の設定欄等も表示され、その入力情報は制御装置４に備えられたハードディスク装置に記憶保存される。
オペレータが必要な入力操作を完了して、フィルムスキャナ３に写真フィルムをセットすると、自動的に写真フィルムの読取りが開始され、読取られた各駒画像の画像データは順次に画像処理装置５へ送られる。
このとき、画像処理装置５へ送られる画像データと同一の画像データがデータ中継装置３１を経由して同時並行で画像データ保存装置ＩＳへ送られて記憶保存される。
【００２５】
フィルムスキャナ３から画像データを受け取った画像処理装置５は、受け取った画像の縮小画像を生成して制御装置４へ送る。
制御装置４は画像処理装置５の補正処理と同等の補正処理を実行する機能を備えており、そのときの処理対象の写真フィルムに対して設定されている標準の補正処理条件を適用して、受け取った縮小画像を補正処理し、補正処理後の画像をモニタ４ｂに表示する。
写真プリントシステムＤＰのオペレータは、そのモニタ４ｂの表示画像を観察して、補正処理条件を修正する必要があるか否かを判断し、修正する必要があれば操作卓４ｃ等から必要な入力操作を行う。この入力画面では、写真プリント作製条件（写真処理条件）の１つである各画像のプリント枚数も入力することができる。
【００２６】
上記のようなオペレータによる補正処理条件の設定作業（標準の補正処理条件が適正であることの確認も含む）が完了すると、オペレータが設定した補正処理条件及びプリント枚数等のデータが画像処理装置５に送信されると共に、補正処理条件のデータは、画像データ保存装置ＩＳへも送られて、その補正処理条件を適用する画像のオーダー番号及び駒番号と対応付けて記憶保存される。尚、プリント枚数の入力データは、オーダー番号及び駒番号と対応付けて、プリントサイズ等の他の写真プリント作製条件（写真処理条件）のデータと共に、オーダー単位でまとめられた状態で制御装置４のハードディスク装置に記憶保存される。
オペレータが設定した補正処理条件等を受け取った画像処理装置５は、その補正処理条件に従ってフィルムスキャナ３から入力された画像データを補正処理し、補正処理が完了すると、その補正処理後の画像データをプリントサイズやプリント枚数等の情報と共にプリント制御装置１５へ送ってプリント処理させる。
画像処理装置５から送られてきた画像データによって、画像形成部ＥＵにおいて画像形成処理が完了したとき、及び、現像処理部ＰＵにおいて現像処理が完了したときは、上述のように、制御装置４へ報告される。
【００２７】
従って、制御装置４は、プリントサイズやプリント枚数等の写真処理条件を記憶保持する処理条件保持装置ＣＳとして機能すると共に、写真プリント装置ＥＰにおける処理の進行状況を管理する処理状況管理装置ＰＣとして機能する。
制御装置４が記憶保持する写真プリント作製条件は、少なくとも対応する画像が写真プリント装置ＥＰにおいて写真プリント作製処理途中にあるときはハードディスク装置に維持され、その画像のオーダーについて写真プリント作製処理が完了した後に、オペレータの手動操作により削除される。尚、図２のステップ＃６やステップ＃７の処理と共に、そのオーダーの写真プリント作製条件を自動的に削除するようにしても良い。
【００２８】
〔トラブル発生時の取扱い〕
上述のようにして写真プリントの作製処理を行っている状態で、写真プリント装置ＥＰに紙詰まり等のトラブルが発生した場合の取扱いについて説明する。
写真プリント装置ＥＰの画像形成部ＥＵあるいは現像処理部ＰＵにおいてトラブルが発生して、写真プリント装置ＥＰが処理を停止したときは、どのようなトラブルがどの位置で発生したかがモニタ４ｂに表示される。尚、写真プリント装置ＥＰは、トラブルの発生による機能停止に際し、トラブルの発生位置が画像形成部ＥＵであるときは、現像処理部ＰＵでは、既に現像処理部ＰＵへ送り込まれた印画紙２の現像処理が完了した後に処理を停止し、トラブルの発生位置が現像処理部ＰＵであるときは、画像形成部ＥＵでは、露光ヘッド１４にて露光処理中の画像の露光処理が完了した時点で処理を停止する。
【００２９】
オペレータは、モニタ４ｂの表示に従って、例えば紙詰まりであれは、写真プリント装置ＥＰのメンテナンス用の扉を開き操作して、詰まっている印画紙２及び紙詰まりの除去作業によって露光して写真プリントとしての商品価値を喪失した印画紙２を取り除く。
画像形成部ＥＵと現像処理部ＰＵとは夫々独立したメンテナンス用の扉を備えており、一方を開き操作しても、他方の印画紙２が露光してしまうことがないように構成されている。
【００３０】
トラブルによって写真プリント装置ＥＰにおける写真プリント作製処理が中断した後、詰まった印画紙２を取り除く等して、写真プリント装置ＥＰの機構上の復旧作業を完了すると、次に、オペレータは、制御装置４に図３のフローチャートに示す処理を実行させて、画像データの処理上の復旧処理を行わせ、写真プリント作製処理を再開させる。
先ず、前記データベースから、画像形成部ＥＵ及び現像処理部ＰＵで処理が完了した画像のオーダー番号及び駒番号のデータを読出す（ステップ＃１１）。このデータは、紙詰まり等のトラブルによって写真プリント作製処理が中断した時点のデータである。
次に、読出したオーダー番号及び駒番号のデータから、写真プリント作製処理の中断によって適正に写真プリントが作製されなかったため、写真プリント作製処理のやり直し（焼き直し）をする必要のある画像を特定する（ステップ＃１２）。
【００３１】
具体的には、トラブルが画像形成部ＥＵで発生したものであるときは、プリント制御装置１５にプリント処理を指示した画像のオーダー番号及び駒番号と、画像形成部ＥＵでの処理完了データとして記憶されている画像のオーダー番号及び駒番号とを対比し、露光ヘッド１４の画像形成位置と印画紙搬送系ＰＴの搬送下流端との間に存在し得る印画紙２の枚数から、既に露光ヘッド１４にて露光処理され且つ現像処理部ＰＵに到達していない印画紙２の画像を特定して、それらの画像を焼き直しが必要な画像として特定する。このような印画紙２は、上記機構上の復旧作業において露光してしまった可能性が高いからである。
尚、プリント制御装置１５にプリント処理を指示した画像のオーダー番号及び駒番号と、画像形成部ＥＵでの処理完了データとして記憶されている画像のオーダー番号及び駒番号とを対比し、画像形成部ＥＵでの処理が完了していない画像を一律に焼き直しの必要がある画像として特定しても良い。
【００３２】
トラブルが現像処理部ＰＵで発生したものであるときは、画像形成部ＥＵでの処理完了データとして記憶されている画像のオーダー番号及び駒番号と、現像処理部ＰＵでの処理完了データとして記憶されている画像のオーダー番号及び駒番号とを対比し、現像処理の処理途中の画像を特定して、それらを焼き直しの必要のある画像として特定する。尚、処理再開までに長時間を要したときには、画像形成部ＥＵ内の露光処理済みの印画紙２の画像についても、焼き直しのある画像として特定するのが好ましい。
このようにして焼き直しの必要がある画像を特定すると、その画像の画像データを、オーダー番号及び駒番号を指定して画像データ保存装置ＩＳから読出し、画像処理装置５へ送り込ませる（ステップ＃１３）。
このとき、併せて、画像データ保存装置ＩＳから読出す画像に対応する補正処理条件及び前記写真処理条件を、画像データ保存装置ＩＳ及び制御装置４のハードディスク装置から夫々読出す。
読出した補正処理条件やプリントサイズ等の写真処理条件は、画像処理装置５へ送る（ステップ＃１４）。
【００３３】
これらの情報を受け取った画像処理装置５は、画像データ保存装置ＩＳから入力された画像データを、その画像データの画像に対応させて記憶保存されていた補正処理条件で補正処理する。
画像処理装置５にて補正処理が完了した画像データは、オーダー番号や駒番号等の情報と共に、プリント制御装置１５へ送信してプリント処理される。
この後、上記のようにして焼き直しプリントとしてプリント処理の指示をした画像について、図２のステップ＃２において利用される報知対象の画像としてオーダー番号と駒番号とを記憶しておく。
これによって、焼き直しプリントとしてプリント処理を指示した画像が、画像形成処理及び現像処理を完了して排出され、現像制御装置２３から処理を完了した旨の信号が送られてくると、焼き直しプリントの写真プリント作製処理を完了した旨がモニタ４ｂに表示される（図２のステップ＃３）。
オペレータは、このモニタ表示を見て、乾燥処理装置２２から排出されたばかりの写真プリントを、先行してプリントされた同じオーダーの写真プリントのグループに合流させる。
図３の処理の終了後、通常のプリント処理作業に復帰する。
【００３４】
〔別実施形態〕
以下、本発明の別実施形態を列記する。
（１）上記実施の形態では、画像データ保存装置ＩＳは、フィルムスキャナ３にて読取った画像データをそのまま保存する場合を例示しているが、例えば、図４に示すように画像データ保存装置ＩＳを画像データサーバとしてネットワーク接続する構成とし、画像処理装置５にて補正処理が完了した後の画像データを画像データ保存装置ＩＳへ記憶保存し、トラブル発生時には、その補正処理後の画像データを読出して、復旧処理をするように構成しても良い。
【００３５】
（２）上記実施の形態では、プリント状況管理装置ＰＣである制御装置４は、写真プリント作製処理の進行状況として、画像形成部ＥＵにて画像形成処理が完了したか否か、及び、現像処理部ＰＵにて現像処理が完了したか否かを管理する場合を例示しているが、例えば、露光ヘッド１４にて露光処理が完了したか否か、あるいは、現像処理装置２１から乾燥処理装置へ移動したか否か等、更に詳細に進行状況を管理して、焼き直しプリントを作製する必要があるか否かを特定するように構成しても良い。
【００３６】
（３）上記実施の形態では、写真プリント装置ＥＰの具体構成として、レーザビーム露光式の写真プリント装置ＥＰを例示しているが、ＰＬＺＴ等による光シャッタアレイ方式等の他の露光形式を採用するものでも良いし、インクジェットプリント方式等の露光によらないプリント形式を採用するものでも良い。
【図面の簡単な説明】
【００３７】
【図１】本発明の実施の形態にかかる写真プリントシステムの概略ブロック構成図
【図２】本発明の実施の形態にかかるフローチャート
【図３】本発明の実施の形態にかかるフローチャート
【図４】本発明の別実施形態にかかる写真プリントシステムの概略ブロック構成図
【符号の説明】
【００３８】
ＣＳ  処理条件保持装置
ＥＰ  写真処理装置
ＥＵ  画像形成部
ＩＳ  画像データ保存装置
ＰＣ  処理状況管理装置
ＰＳ  写真感光材料
ＰＵ  現像処理部
【図１】
2006018194.tif 000003
【図２】
2006018194.tif 000004
【図３】
2006018194.tif 000005
【図４】
2006018194.tif 000006